(57)【要約】【課題】分解液を最適な設定温度に保持することで、微生物による分解処理を最適な状態で安定して行うことができる水中分解式生ごみ処理装置を提供する。【解決手段】生ごみを生ごみ投入装置１で破砕した後に分解槽２に導入し、分解槽２に貯留された分解液の微生物によって分解処理するとともに、分解液の一部を乾燥装置６に引き抜いて乾燥処理した後に排出するようになされた水中分解式生ごみ処理装置において、乾燥装置６には、ブロワー６３を備え分解槽２の上部空間に連通された熱風管６２が連結されるとともに、分解槽２には分解液の温度を検出する液温検出器２２が設けられ、液温検出器２２の検出結果に基づいて制御装置によりブロワー６３を作動制御するように構成されている。分解槽２には分解液を加熱する補助ヒータ２１が設けられ、制御装置では液温検出器２２の検出結果に基づいて補助ヒータ２１を作動制御するように構成されている。【選択図】　図１
2004041834.tif 000002
【特許請求の範囲】
【請求項１】
生ごみ投入装置に投入された生ごみを破砕した後に分解槽に導入し、分解槽に貯留された分解液の微生物によって分解処理するとともに、上記分解液の一部を乾燥装置に引き抜いて乾燥処理した後に排出するようになされた水中分解式生ごみ処理装置において、
前記乾燥装置には、ブロワーを備え、前記分解槽の上部空間に連通された熱風管が連結されるとともに、この分解槽には分解液の温度を検出する液温検出器が設けられ、当該液温検出器の検出結果に基づいて制御装置によりブロワーを作動制御するように構成されたことを特徴とする水中分解式生ごみ処理装置。
【請求項２】
前記分解槽には分解液を加熱する補助ヒータが設けられ、前記制御装置では、前記液温検出器の検出結果に基づいて前記ブロワー及び補助ヒータを作動制御するように構成されたことを特徴とする請求項１記載の水中分解式生ごみ処理装置。
【請求項３】
前記分解槽には、当該分解槽の上部空間に外気を導入する外気導入手段が設けられたことを特徴とする請求項１又は２記載の水中分解式生ごみ処理装置。
【請求項４】
生ごみ投入装置に投入された生ごみを破砕した後に分解槽に導入し、分解槽に貯留された分解液の微生物によって分解処理する水中分解式生ごみ処理装置において、
前記分解槽には、分解液の温度を検出する液温検出器が設けられるとともに、分解液を加熱する補助ヒータが設けられ、液温検出器の検出結果に基づいて制御装置により補助ヒータを作動制御するように構成されたことを特徴とする水中分解式生ごみ処理装置。
【発明の詳細な説明】
【０００１】
【発明の属する技術分野】
本発明は、分解槽に貯留された分解液の微生物により生ごみを処理する水中分解式生ごみ処理装置に関し、特に分解液の液温を保持する制御技術に関するものである。
【０００２】
【従来の技術】
従来、生ごみを生ごみ投入装置に投入して破砕した後に分解槽に導入し、この分解槽において分解液の微生物によって生ごみを分解処理する、所謂水中分解式生ごみ処理装置が提供されている。
【０００３】
そして、このような水中分解式生ごみ処理装置では、分解液中の残渣等を除去するために分解液の一部を定期的に分解槽から乾燥装置に引き抜いて、該乾燥装置で乾燥処理した後に外部に排出するようにしている。
【０００４】
また、乾燥装置では、分解液の乾燥により当該乾燥装置内で発生した熱を分解槽内の上部空間に熱風として供給することで、分解槽の分解液を微生物が活性化するのに適した温度にするようにしている。
【０００５】
【発明が解決しようとする課題】
このように分解液を微生物が活性化するのに適した温度にして当該微生物による生ごみの分解を促進するようにしているものの、分解液の液温は夏場や冬場などの外気温度の変動など外的な要因よって変動し易いため、このような環境の変化に影響されずに液温を一定に保つことは困難であった。従って、分解液の温度が変動することで微生物による生ごみの分解処理能力にもバラツキが生じ、最適な分解処理を安定して行うことができないという問題があった。
【０００６】
本発明は、上記問題点に鑑みてなされたもので、その目的とするところは、分解液の液温を検出し、この検出結果に基づいて分解液を予め設定した最適な温度に保持するように制御することで、微生物による分解処理を最適な状態で安定して行うことができる水中分解式生ごみ処理装置を提供することにある。
【０００７】
【課題を解決するための手段】
請求項１に係る発明の水中分解式生ごみ処理装置は、生ごみ投入装置に投入された生ごみを破砕した後に分解槽に導入し、分解槽に貯留された分解液の微生物によって分解処理するとともに、上記分解液の一部を乾燥装置に引き抜いて乾燥処理した後に排出するようになされた水中分解式生ごみ処理装置において、前記乾燥装置には、ブロワーを備え、前記分解槽の上部空間に連通された熱風管が連結されるとともに、この分解槽には分解液の温度を検出する液温検出器が設けられ、当該液温検出器の検出結果に基づいて制御装置によりブロワーを作動制御するように構成されたものである。
【０００８】
請求項２に係る発明の水中分解式生ごみ処理装置は、前記分解槽には分解液を加熱する補助ヒータが設けられ、前記制御装置では、前記液温検出器の検出結果に基づいて前記ブロワー及び補助ヒータを作動制御するように構成されたものである。
【０００９】
請求項３に係る発明の水中分解式生ごみ処理装置は、前記分解槽には、当該分解槽の上部空間に外気を導入する外気導入手段が設けられたものである。
【００１０】
請求項４に係る発明の水中分解式生ごみ処理装置は、生ごみ投入装置に投入された生ごみを破砕した後に分解槽に導入し、分解槽に貯留された分解液の微生物によって分解処理する水中分解式生ごみ処理装置において、前記分解槽には、分解液の温度を検出する液温検出器が設けられるとともに、分解液を加熱する補助ヒータが設けられ、液温検出器の検出結果に基づいて制御装置により補助ヒータを作動制御するように構成されたものである。
【００１１】
【発明の実施の形態】
以下、本発明の実施の形態を図面を参照して説明する。
【００１２】
図１は、本発明の水中分解式生ごみ処理装置の概略構成を示している。
【００１３】
図１において、１は、生ごみ投入装置であって、生ごみを投入するホッパ１１と、投入した生ごみを破砕するディスポーザー１２とを備えてなり、ディスポーザー１２で破砕された生ごみは導入管１３を通じて分解槽２に導入される。
【００１４】
分解槽２は、生ごみを分解処理するもので、当該生ごみを処理する微生物を含んだ分解液が貯留されている。
【００１５】
また、上記分解槽２には、攪拌機３、循環ポンプ４及び拡散部材５が設けられている。
【００１６】
攪拌機３は、モータ３１の回転駆動により回転軸３２に設けられた攪拌羽根３３が回転自在に設けられており、攪拌羽根３３の回転により分解槽２に貯留された分解液を下方に導く流れを発生させ、この流れにより分解液全体が均質になるように攪拌している。
【００１７】
循環ポンプ４は、前記分解槽２の底部に配置されており、分解槽２内の分解液を吸い込んで前記拡散部材５に供給するためのもので、その吐出口側には供給管４１の一端が連結されている。供給管４１の他端となる供給口４１ａは前記拡散部材５の上部に配置されており、この供給口４１ａから分解液を拡散部材５に噴射する。
【００１８】
拡散部材５は、上記供給口４１ａから噴射された分解液を上部空間において拡散するためのもので、この拡散により分解液内に酸素を供給して微生物の活動を活性化するようにしている。つまり、好気性の微生物により生ごみを分解処理するようにしている。
【００１９】
そして、攪拌機３により発生する下方への水流と、循環ポンプ４の吸込により発生する水流とで分解槽２の分解液に循環流を発生させ、供給口４１ａからの液面への分解液の供給と相まって、分解液全体を十分に攪拌して均質化するようにしている。これにより分解液の微生物による分解処理を良好な状態で効率良く行うことができる。
【００２０】
一方、前記供給管４１は、その途中部から返送管４２が分岐接続されており、この返送管４２を通じて当該返送管４２に設けられたバルブ４３の開閉操作により分解液の一部を前記生ごみ投入装置１に返送するようにしている。
【００２１】
つまり、返送管４２を通じて生ごみ投入装置１に分解液を返送して分解槽２に導入することによって、生ごみ投入装置１に投入して破砕した生ごみを当該分解液とともに導入管１３を通じて分解槽２に導入するようにしている。
【００２２】
また、分解槽２には、乾燥装置６が連結されている。乾燥装置６は分解槽２の分解液内に含有する残渣等を定期的に引き抜いて乾燥させるためのもので、図示しない定量引き抜き装置により所定量を引抜き管６１を通じて乾燥装置６に引き抜くことで、分解液の塩分濃度調整などを行うようにしている。
【００２３】
この乾燥装置６での乾燥に寄与した熱風は、ブロワー６３により熱風管６２を通じて分解槽２の上部空間に導かれている。この熱風は、分解液が活性化する約４０℃程度の適温に保持するために用いられており、当該熱風の他、微生物の分解熱や循環ポンプ４の駆動熱なども分解液の温度維持に寄与している。
【００２４】
上記熱風管６２のブロワー６３の吸込側には、外気に連通された外気管６４が連結されている。この外気管６４には開閉バルブ６５が設けられており、これら外気管６４と開閉バルブ６５とで外気導入手段を構成している。
【００２５】
また、分解槽２には、その底部に補助ヒータ２１が設けられている。補助ヒータ２１は、分解槽２内の分解液を加熱するためのもので、図１に実線で示すように分解液を直接的に加熱するように分解槽２内の底部に配置したり、図１に二点鎖線で示すように分解槽２を介して間接的に加熱するように分解槽２の底部外周に配置している。
【００２６】
そして、この分解槽２には、分解液の液温を検出する液温検出器２２が設けられている。液温検出器２２により検出された液温の検出信号は、図２に示すように制御装置７に入力される。制御装置７では、上記検出信号に基づいて前記ブロワー６３を作動制御するとともに補助ヒータ２１を作動制御する他、必要に応じて開閉バルブ６５の開閉を制御する。つまり、制御装置７により分解液の液温を予め設定した分解液が活性化する温度（４０℃程度）に維持するようにしている。
【００２７】
さらに、分解槽２には、図示しない給水手段が設けられており、この給水手段によって分解槽２内に適宜に給水することで、分解液の水位を調整するようにしている。
【００２８】
なお、制御装置７では、各種のスイッチを備えた操作部７１からの操作信号などに基づいて、上述した分解液の温度制御の他、定量引き抜き装置の作動制御や各バルブの開閉制御など、この水中分解式生ごみ処理装置の運転に必要な制御を行っている。
【００２９】
次に、このように構成された水中分解式生ごみ処理装置による、生ごみの処理について説明する。
【００３０】
まず、厨房などで発生した生ごみを生ごみ投入装置１のホッパ１１に投入し、ディスポーザ１２で破砕する。破砕した生ごみは、循環ポンプ４により供給管４１、返送管４２を通じて生ごみ投入装置１に導入される分解液とともに、導入管１３を通じて分解槽２に導入される。
【００３１】
分解槽２では、導入された生ごみを分解液中の微生物により分解処理する。この際、循環ポンプ４により分解液を供給管４１を通じて供給口４１ａに導入し、供給口４１ａから拡散部材５にスプレーすることによって、分解液に酸素を供給するとともに、乾燥装置６からの熱風の供給などにより分解液を適温に保持している。また、攪拌機３による攪拌作用と、循環ポンプ４の分解液の吸込作用とにより分解液に循環流を生じさせて当該分解液を十分に攪拌して均質になるようにしている。従って、これらの作用によって分解液はその微生物の活動が活性化された状態になっており、生ごみの分解処理を効率良く行うことができる。
【００３２】
一方、乾燥装置６では、分解槽２に投入した生ごみの量に応じて定量引き抜き装置により分解液の残渣等を引き抜いて乾燥させ、この乾燥処理した残渣等を図示しない排出口から外部に排出している。
【００３３】
このようにして生ごみを処理する際において、制御装置７には液温検出器２２から分解液の液温の検出信号が入力されており、制御装置７ではこの検出信号に基づいて分解液の液温を設定温度で維持するように温度制御している。
【００３４】
詳しくは、例えば液温検出器で検出した分解液の液温が設定温度よりも低い場合には、ブロワー６３の出力を強めて乾燥装置６から分解槽２の上部空間への熱風の供給量を増加させるとともに補助ヒータ２１を作動させ、分解液の液温を設定温度まで上昇させる。
【００３５】
逆に、液温検出器２２で検出した分解液の液温が設定温度よりも高い場合には、ブロワー６３の出力を弱めて乾燥装置６から分解槽２の上部空間への熱風の供給量を減少させるとともに、補助ヒータ２１が作動している場合には当該補助ヒータ２１の作動を停止して補助ヒータ２１による加熱を停止させるか、補助ヒータ２１の出力を弱めて当該補助ヒータ２１による加熱を弱めて分解液の液温を設定温度まで下降させる。
【００３６】
また、液温検出器２２で検出した分解液の液温が設定温度よりも高い場合には、上述した制御の他に開閉バルブ６５を開放して外気管６４により外気を熱風管６２を通じて分解槽２の上部空間に導入し、この外気によって分解液の液温を設定温度まで下降させる。この外気の導入は、液温を急速に下降させたい場合に有効である。
【００３７】
このように液温検出器２２で検出した液温の検出信号に基づいて制御装置７によりブロワー６３、補助ヒータ２１及び開閉バルブ６５を作動制御することで、分解液の液温を微生物が活性化する最適な温度に常時維持することができる。これにより生ごみの分解処理を円滑に効率よく行うことができ、処理能力を高い水準で維持することができる。
【００３８】
また、熱風管６２による熱風の供給と補助ヒータ２１を併用することで、寒冷地などでも分解液の液温低下を防止して分解液の液温を適温に保持することができる。
【００３９】
なお、本実施の形態では、ブロワー６３と補助ヒータ２１との両方を制御して分解液の液温を設定温度に維持するものについて説明したが、必ずしも２つを併用する必要はなく、分解液の液温を設定温度で保持できるのであれば、ブロワー６３と補助ヒータ２１との何れか一つを用いて制御するようにしてもよく、外気導入手段も必要に応じて設ければよい。また、外気導入手段も熱風管６２やブロワー６３を利用するのではなく、単独で分解槽２に連結するようにしてもよい。
【００４０】
また、設定温度は微生物が活性化する所定範囲で設定してもよく、この範囲を逸脱したときに制御装置７により上述したような制御を行えばよい。
【００４１】
【発明の効果】
以上述べたように、本発明の水中分解式生ごみ処理装置よれば、外気温度など外部要因の変動に関わらず分解液の液温を微生物が活性化する最適な温度に常時維持することができ、これにより生ごみの分解処理を円滑に効率よく行うことができ、処理能力を高い水準で維持することができる。
【図面の簡単な説明】
【図１】本発明の水中分解式生ごみ処理装置全体の概略構成を示す図である。
【図２】水中分解式生ごみ処理装置の本発明にかかわる制御系を示す図である。
【符号の説明】
１　生ごみ投入装置
２　分解槽
２１　補助ヒータ
６　乾燥装置
６２　熱風管
６３　ブロワー
６４　外気管
６５　開閉バルブ
７　制御装置
【図１】
2004041834.tif 000003
【図２】
2004041834.tif 000004